(57)【要約】【課題】本発明は、防虫繊維の混率が少なくても、防虫効果を有する織物及び経編地を提供することにある。【解決手段】防虫剤を含有する繊維Ａの混率が５〜５０質量％である織物。前記繊維Ａはモノフィラメントであり、繊度が１５〜５０ｄｔｅｘであること、前記繊維Ａが、ポリプロピレン繊維またはポリオレフィン繊維であること、前記繊維Ａが１〜５本と、他の繊維Ｂが１本とを交互に配列していることが好ましい。  防虫剤を含有する繊維Ａの混率が３０〜１００質量％である経編地。前記繊維Ａはモノフィラメントであり、その繊度は１５〜５０ｄｔｅｘであること、編み組織がメッシュ編地であり、編み密度が４０〜６０コース／インチ、１５〜４０ウェール／インチであることが好ましい。【選択図】  なし【特許請求の範囲】
【請求項１】
防虫剤を含有する繊維Ａの混率が５〜５０質量％である織物。
【請求項２】
前記繊維Ａはモノフィラメントであり、繊度が１５〜５０ｄｔｅｘである請求項１に記載の織物。
【請求項３】
前記繊維Ａが、ポリプロピレン繊維またはポリオレフィン繊維である請求項１または２に記載の織物。
【請求項４】
前記繊維Ａが１〜５本と、他の繊維Ｂが１本とを交互に配列している請求項１〜３のいずれか一項に記載の織物。
【請求項５】
前記繊維Ｂの総繊度が、２００〜４００ｄｔｅｘである請求項４に記載の織物。
【請求項６】
前記繊維Ａが、経糸または緯糸のいずれかに配置されている請求項１〜５のいずれか一項に記載の織物。
【請求項７】
前記繊維Ａが配されていない経糸または緯糸の繊維Ｃの総繊度が、５０〜２００ｄｔｅｘである請求項６に記載の織物。
【請求項８】
繊維Ｂ、繊維Ｃの少なくとも１つがモノフィラメントである請求項１〜７のいずれか一項に記載の織物。
【請求項９】
経密度が４０〜７０本／インチ、緯密度が１５〜５０本／インチである請求項１〜８のいずれか一項に記載の織物。
【請求項１０】
前記繊維Ａは芯鞘構造を有し、防虫剤を芯部に有する請求項１〜９のいずれか一項に記載の織物。
【請求項１１】
防虫剤が、ピレスロイド系化合物である請求項１〜１０のいずれか一項に記載に織物。
【請求項１２】
防虫剤を含有する繊維Ａの混率が３０〜１００質量％である経編地。
【請求項１３】
前記繊維Ａはモノフィラメントであり、繊度が１５〜５０ｄｔｅｘである請求項１２に記載の経編地。
【請求項１４】
前記繊維Ａが、ポリプロピレン繊維またはポリオレフィン繊維である請求項１２または１３に記載の経編地。
【請求項１５】
編み組織がメッシュ編地であり、編み密度が４０〜６０コース／インチ、１５〜４０ウェール／インチである請求項１２〜１４のいずれか一項に記載の経編地。
【発明の詳細な説明】
【技術分野】
【０００１】
本発明は、害虫等に対する忌避効果（防虫効果）を有する防虫繊維を用いた防虫織物及び経編地に関する。
【背景技術】
【０００２】
従来から人、家畜、作物等を農業害虫から保護する為に、当該保護対象の周囲をネットで覆うことにより、物理的に害虫の侵入を阻止する方法が用いられてきた。また、ネットを形成する素材に防虫活性化合物を処理することにより、当該ネット自体に防虫効果を付与した、防虫ネットも使用されている。
さらに、人などによる防虫剤の摂取量を抑制しながら防虫効果を発揮させるとともに、防虫効果を持続させるために、芯鞘構造の繊維の芯部に防虫剤を含有することが提案されている。
【先行技術文献】
【特許文献】
【０００３】
【特許文献１】国際公開第２０１６／１４３８０９号
【発明の概要】
【発明が解決しようとする課題】
【０００４】
しかしながら、特許文献１は、防虫繊維を１００％用いた織物によるもので、防虫繊維は普通糸と比べ糸値が高いことから、得られる商品も高価なものとなる。本発明は、防虫繊維の使用混率が少なくても、防虫効果を有する織編物を提供することである。
【課題を解決するための手段】
【０００５】
１．防虫剤を含有する繊維Ａの混率が５〜５０質量％である織物。
２．前記繊維Ａはモノフィラメントであり、繊度が１５〜５０ｄｔｅｘである１に記載の織物。
３．前記繊維Ａが、ポリプロピレン繊維またはポリオレフィン繊維である１または２に記載の織物。
４．前記繊維Ａが１〜５本と、他の繊維Ｂが１本とを交互に配列している１〜３のいずれかに記載の織物。
５．前記繊維Ｂの総繊度が、２００〜４００ｄｔｅｘである４に記載の織物。
６．前記繊維Ａが、経糸または緯糸のいずれかに配置されている１〜５のいずれかに記載の織物。
７．前記繊維Ａが配されていない経糸または緯糸の繊維Ｃの総繊度が、５０〜２００ｄｔｅｘである６に記載の織物。
８．繊維Ｂ、繊維Ｃの少なくとも１つがモノフィラメントである１〜７のいずれかに記載の織物。
９．経密度が４０〜７０本／インチ、緯密度が１５〜５０本／インチである１〜８のいずれかに記載の織物。
１０．前記繊維Ａは芯鞘構造を有し、防虫剤を芯部に有する１〜９のいずれかに記載の織物。
１１．防虫剤が、ピレスロイド系化合物である１〜１０のいずれかに記載に織物。
１２．防虫剤を含有する繊維Ａの混率が３０〜１００質量％である経編地。
１３．前記繊維Ａはモノフィラメントであり、繊度が１５〜５０ｄｔｅｘである１２に記載の経編地。
１４．前記繊維Ａが、ポリプロピレン繊維またはポリオレフィン繊維である１２または１３に記載の経編地。
１５．編み組織がメッシュ編地であり、編み密度が４０〜６０コース／インチ、１５〜４０ウェール／インチである１２〜１４のいずれかに記載の経編地。
【発明の効果】
【０００６】
本発明は、防虫繊維の混率が少なくても、防虫効果に優れた効果を有する織物及び経編地を提供できる。
【発明を実施するための形態】
【０００７】
本発明の織物は、防虫剤を含有する繊維Ａの混率が５〜５０質量％である。
防虫剤を含有する繊維Ａの混率が５質量％以上であれば、防虫効果を得られることができ、前記混率は多い程、防虫効果は優れるが、５０質量％以下であれば、防虫効果は十分得られる。
これらの観点から、前記防虫剤を含有する繊維Ａの混率は６〜２５質量％がより好ましく、７〜２０質量％がさらに好ましい。
【０００８】
本発明の織物は、前記繊維Ａはモノフィラメントであり、繊度が１５〜５０ｄｔｅｘであることが好ましい。
モノフィラメントであることで、繊維間にほこり等の付着が少なくでき、防虫効果を維持しやすくなる。
前記繊度が、１５ｄｔｅｘ以上であることで、防虫効果を得やすくでき、５０ｄｔｅｘ以下であれば、農業害虫に対する忌避効果を発揮しやすくなる。これらの観点から、前記繊度は、２０〜４５ｄｔｅｘであることがより好ましく、２５〜４０ｄｔｅｘがさらに好ましい。
【０００９】
本発明の織物は、前記繊維Ａが、ポリプロピレン繊維またはポリオレフィン繊維であることが好ましい。
前記繊維Ａが、ポリプロピレン繊維またはポリオレフィン繊維であることで、織物を軽量にすることがしやすくなる。
この観点から、前記繊維Ａは、ポリプロピレン繊維であることがより好ましい。
【００１０】
本発明の織物は、前記繊維Ａが１〜５本と、他の繊維Ｂが１本とを交互に配列していることが好ましい。
この様に配列することで、織物に対する防虫剤を含有する繊維の混率が少なくても、防虫効果が得られやすい。
この観点から、前記繊維Ａが２〜４本と、他の繊維Ｂが１本とを交互に配列していることがより好ましい。
【００１１】
本発明の織物は、前記繊維Ｂの総繊度が、２００〜４００ｄｔｅｘであることが好ましい。
前記の繊維Ｂの総繊度が、２００ｄｔｅｘ以上であれば、織物の強度が得られやすくなり、４００ｄｔｅｘ以下であれば、軽量化しやすくなる。
これらの観点から、前記繊維Ｂの総繊度は、２３０〜３７０ｄｔｅｘがより好ましく、２５０〜３５０ｄｔｅｘがさらに好ましい。
【００１２】
本発明の織物は、前記繊維Ａが、経糸または緯糸のいずれかに配置されていることが好ましい。
この様にすることで、防虫繊維の混率を少なくできると共に、防虫効果を得られることができる。
【００１３】
本発明の織物は、前記繊維Ａが配されていない経糸または緯糸の繊維Ｃの総繊度が、５０〜２００ｄｔｅｘであることが好ましい。
前記繊維Ａが配されていない経糸または緯糸の繊維Ｃの総繊度が、５０ｄｔｅｘ以上であることで、織物の強度が得られやすくなり、２００ｄｔｅｘ以下であれば、軽量化しやすくなる。
これらの観点から、前記総繊度は、７０〜１８０ｄｔｅｘがより好ましく、９０〜１５０ｄｔｅｘがさらに好ましい。
【００１４】
本発明の織物は、繊維Ｂ、繊維Ｃの少なくとも１つがモノフィラメントであることが好ましい。
繊維Ｂ、繊維Ｃの少なくとも１つがモノフィラメントであることで、ほこり等の付着が少なくでき、防虫効果を維持しやすくなる。
この観点から、繊維Ｂ及び繊維Ｃの両方がモノフィラメントであることがより好ましい。
【００１５】
本発明の織物は、経密度が４０〜７０本／インチ、緯密度が１５〜５０本／インチであることが好ましい。
経密度が４０本／インチ以上、緯密度が１５本／インチ以上であることで、織物強度が得られやすく、経密度が７０本／インチ以下、緯密度が５０本／インチ以下であることで、軽量化がしやすくなる。
これらの観点から、経密度が４５〜６５本／インチ、緯密度が２０〜４５本／インチであることがより好ましく、経密度が５０〜６０本／インチ、緯密度が２５〜４０本／インチであることがさらに好ましい。
【００１６】
本発明の織物は、前記繊維Ａは芯鞘構造を有し、防虫剤を芯部に有することが好ましい。
防虫剤を芯部に有することで、防虫効果の持続性がより向上できる。
【００１７】
本発明の織物は、防虫剤が、ピレスロイド系化合物であることが好ましい。
防虫剤が、ピレスロイド系化合物であることで、人への安全性がより高くできる。
【００１８】
本発明の経編地は、防虫剤を含有する繊維Ａの混率が３０〜１００質量％である。
防虫剤を含有する繊維Ａの混率が３０質量％以上であれば、防虫効果を得られることができ、前記混率は多い程、防虫効果は優れるが、８０質量％以下であれば、防虫効果は十分得られる。
この観点から、防虫剤を含有する繊維Ａの混率が４０〜７０質量％であることがより好ましく、４５〜６５質量％がさらに好ましい。
【００１９】
本発明の経編地は、前記繊維Ａはモノフィラメントであり、繊度が１５〜５０ｄｔｅｘであることが好ましい。
モノフィラメントであることで、繊維間にほこり等の付着が少なくでき、防虫効果を維持しやすくなる。
前記繊度が、１５ｄｔｅｘ以上であることで、防虫効果を得やすくでき、５０ｄｔｅｘ以下であれば、経編地を軽くしやすくなる。これらの観点から、前記繊度は、２０〜４５ｄｔｅｘであることがより好ましく、２５〜４０ｄｔｅｘがさらに好ましい。
【００２０】
本発明の経編地は、前記繊維Ａが、ポリプロピレン繊維またはポリオレフィン繊維であることが好ましい。
前記繊維Ａが、ポリプロピレン繊維またはポリオレフィン繊維であることで、織物を軽量にすることがしやすくなる。
この観点から、前記繊維Ａは、ポリプロピレン繊維であることがより好ましい。
【００２１】
本発明の経編地は、編み組織がメッシュ編地であり、編み密度が４０〜６０コース／インチ、１５〜４０ウェール／インチであることが好ましい。
編み組織がメッシュ編地であることで、経編地を軽量化しやすくできる。また、編み密度が４０コース／インチ以上、１５ウェール／インチ以上であることで、経編地の強度が得られやすく、６０コース／インチ以下、４０ウェール／インチ以下であることで、軽量化がしやすくなる。
これらの観点から、４５〜５５コース／インチ、２０〜３５ウェール／インチであることがより好ましい。
【実施例】
【００２２】
以下、本発明を実施例により具体的に説明する。尚、実施例における各項目の測定は次の方法に拠った。
【００２３】
（防虫効果の確認方法）
害虫の種類としてタバココナジラミを使用。
本織物及び編物の試料と、防虫糸非含有の織物及び編物の試料を準備する。直径８ｃｍ×高さ１５ｃｍ円柱状の筒の中に、本織物または編物を配置する。同様に、防虫糸非含有の織物及び編物を別の筒の中に配置する。
それぞれの筒の中に、タバココナジラミをそれぞれ３０匹投入する。
試料に接触しているタバココナジラミの匹数を１時間おきに５時間観察し忌避性
の効果を目視判定した。
５時間後に資料に接触しているタバココナジラミが０〜２匹であれば、防虫性に優れていると判断した。
【００２４】
（実施例１）
市販の織機（ウォータージェットルーム）を用い、経糸には市販のポリプロピレン繊維１１０デシテックスのモノフィラメントを使用し、緯糸には市販のポリプロピレン繊維２８０デシテックスのモノフィラメントと、防虫剤を練り込んだポリプロピレン繊維（三菱ケミカル社製、クリーンライフＮｅｏ）３３デシテックスのモノフィラメントとを１：２の割合で配列し、経密度５８本／インチ、緯密度３６本／インチの織物を作成した。この織物は市販のポリプロピレンの混率が９３質量％、防虫繊維の混率が７質量％であった。得られた織物の防虫効果を確認した結果、防虫忌避性に優れるものであった。
【００２５】
防虫剤を練り込んだポリプロピレン繊維（三菱ケミカル社製、クリーンライフＮｅｏ）
は３３０デシテックス１０フィラメントのマルチフィラメントを市販の分繊機を使用し１０本に分繊加工にて３３デシテックスのモノフィラメントを作成した。
【００２６】
（実施例２）
緯糸には市販のポリプロピレン繊維２８０デシテックスのモノフィラメントと、防虫剤を練り込んだポリプロピレン繊維（三菱ケミカル社製、クリーンライフＮｅｏ）３３デシテックスのモノフィラメントを１：４の割合で配列した以外は実施例１と同じで織物を作成した。この織物の混率は市販のポリプロピレンは８２質量％、防虫繊維は１８質量％であった。得られた織物の防虫効果を確認した結果、防虫忌避性に優れるものであった。
【００２７】
（実施例３）
市販の経編機（トリコット機）を用い、フロント部とバック部のすべてに防虫剤を練り込んだポリプロピレン繊維（三菱ケミカル社製、クリーンライフＮｅｏ）３３デシテックスのモノフィラメントを使用し、５０コース／インチ、２８ウェール／インチのメッシュ編地を作成した。この編物の混率は防虫繊維１００質量％であった。
得られた編物の防虫効果を確認した結果、防虫忌避性に優れるものであった。
【００２８】
（実施例４）
市販の経編機（トリコット機）を用い、フロント部に防虫剤を練り込んだポリプロピレン繊維（三菱ケミカル社製、クリーンライフＮｅｏ）３３デシテックスのモノフィラメントを使用し、バック部に市販のポリエステル繊維３３デシテックス１２フィラメントのマルチフィラメントを使用し、５０コース／インチ、２８ウェール／インチのメッシュ編地を作成した。この編物の混率はポリエステル５０質量％、防虫繊維５０質量％であった。得られた編物の防虫効果を確認した結果、防虫忌避性に優れるものであった。
【００２９】
（実施例５）
実施例４で得られた編物のバック面に、塩化ビニル樹脂をラミネートした製品を作成した。
得られた製品の防虫効果を確認した結果、防虫忌避性に優れるものであった。